(57)【要約】【課題】従来の菜園においては、有用微生物群を利用して、家庭の庭でまたはマンションのベランダでもしくは屋上等の家庭の敷地内で簡単に野菜または果物等の植物の栽培をできるようにすること。【解決手段】もみがら活性炭と、パルプと、有用微生物群を含有したペレットとを混合した園芸用土と、該園芸用土を収納した収納袋と、該収納袋を園芸用土が入ったまま収納する栽培容器とからなり、該栽培容器に前記収納袋を収納させた後に、収納袋の上面略中央部を切り開き園芸用土を露出させて使用する構成にしたことにより、有用微生物群を利用して、家庭の庭でまたはマンションのベランダでもしくは屋上等の家庭の敷地内で簡単に野菜または果物等の植物の栽培ができるようになる。【選択図】  図１
2005021072.tif 000002
【特許請求の範囲】
【請求項１】
もみがら活性炭と、パルプと、有用微生物群を含有したペレットとを混合した園芸用土と、
該園芸用土を収納した収納袋と、
該収納袋を園芸用土が入ったまま収納する栽培容器とからなり、
該栽培容器に前記収納袋を収納させた後に、収納袋の上面略中央部を切り開き園芸用土を露出させて使用する構成にしたこと
を特徴とする家庭菜園用具。
【請求項２】
前記有用微生物群を含有したペレットは、
米糠及び／またはフスマに有用微生物群を混合させて形成すること
を特徴とする請求項１に記載の家庭菜園用具。
【請求項３】
前記収納袋は、
不織布または植物繊維の織布を袋状に形成したこと
を特徴とする請求項１に記載の家庭菜園用具。
【請求項４】
前記栽培容器には、
該栽培容器の内側の少なくとも側面に複数の凸部を形成したこと
を特徴とする請求項１に記載の家庭菜園用具。
【発明の詳細な説明】
【０００１】
【発明の属する技術分野】
本発明は、有用微生物群を含有した園芸用土を用いて、野菜、果物等の植物の栽培を家庭の庭でまたはマンションのベランダでもしくは屋上で容易に行えるようにする家庭菜園用具に関するものである。
【０００２】
【従来の技術】
従来、野菜または果物等の植物を栽培する場合には、畑等の土壌を耕し、該土壌に種子または苗を植え、そこに水と肥料とを与えるという方法が一般的に行われている。
【０００３】
そして、前記土壌には、有用微生物群（ＥＭ：Ｅｆｆｅｃｔｉｖ  Ｍｉｃｒｏｏｒｇａｎｉｓｍｓ）と称されるものを利用し、該有用微生物群の活性液またはボカシを散布することにより、前記野菜または果物等の植物の生育を促進させると共に、害虫を寄せ付けないようにするという技術が注目されている。
【０００４】
この有用微生物群を利用した技術としては、浄水ケーキからなる培土に有用微生物資材を混合し、前記培土にＥＭセラミックスパウダーを混合させた植物栽培用培土がある（特許文献１参照）。
【０００５】
また、この特許文献１においては、高架栽培方法として、箱状に形成した鋼製ワイヤーメッシュの内側に透明ビニールシートを配設し、該透明ビニールシートの内側に不織布シートを配設し前記植物栽培用培土を盛土して栽培ベッドにしている。
【０００６】
そして、前記植物栽培用培土には、浄化処理し、さらに水分子のクラスターを微細化処理した活性水を灌水して栽培を行い、該灌水が排水されないように排水口を設けないで農作物を栽培する技術が開示されている。
【０００７】
【特許文献１】
特開２００３−２３８５２号公報（第２頁、第４頁、図５）
【０００８】
【発明が解決しようとする課題】
しかしながら、前記有用微生物群の活性液またはボカシを散布する公知技術において、該有用微生物群の活性液またはボカシの培養は、経験と、面倒な作業とを要し、また、一度に培養される量が比較的多いことから、例えば、家庭のプランター程度の栽培容器を使用し、家庭の庭でまたはマンションのベランダでもしくは屋上等の家庭の敷地内で小規模の菜園にする場合には、前記活性液またはボカシの残量が多くなるため、前記家庭の敷地内で使用するのに不向きである。
【０００９】
また、前記特許文献１の公知技術においては、例えば、家庭の一般的なプランター等の栽培容器を使用するものではなく、透明ビニールシートを配設して排水させない構成としているので、浄化処理し、さらに水分子のクラスターを微細化処理した活性水を灌水、即ち一般的な水道水等ではない特別な水を使用しなければならないため、家庭での実施が困難であり、また、前記栽培ベッドを作製して植物栽培用培土を盛土しなければならないという面倒な作業を要するという問題点を有する。
【００１０】
従って、従来の菜園においては、有用微生物群を利用して、家庭の庭でまたはマンションのベランダでもしくは屋上等の家庭の敷地内で簡単に野菜または果物等の植物の栽培をできるようにするということに解決しなければならない課題を有している。
【００１１】
【課題を解決するための手段】
上記した従来例の課題を解決する具体的手段として本発明は、もみがら活性炭と、パルプと、有用微生物群を含有したペレットとを混合した園芸用土と、該園芸用土を収納した収納袋と、該収納袋を園芸用土が入ったまま収納する栽培容器とからなり、該栽培容器に前記収納袋を収納させた後に、収納袋の上面略中央部を切り開き園芸用土を露出させて使用する構成にしたことを特徴とする家庭菜園用具を提供するものである。
【００１２】
この発明において、前記有用微生物群を含有したペレットは、米糠及び／またはフスマに有用微生物群を混合させて形成すること；前記収納袋は、不織布または植物繊維の織布を袋状に形成したこと；前記栽培容器には、該栽培容器の内側の少なくとも側面に複数の凸部を形成したこと；を付加的な要件として含むものである。
【００１３】
本発明に係る家庭菜園用具は、もみがら活性炭と、パルプと、有用微生物群を含有したペレットとを混合した園芸用土と、該園芸用土を収納した収納袋と、該収納袋を園芸用土が入ったまま収納する栽培容器とからなり、該栽培容器に前記収納袋を収納させた後に、収納袋の上面略中央部を切り開き園芸用土を露出させて使用する構成にしたことにより、有用微生物群を利用して、家庭の庭でまたはマンションのベランダでもしくは屋上等の家庭の敷地内で簡単に野菜または果物等の植物の栽培ができるようになるのである。
【００１４】
【発明の実施の形態】
次に、本発明を具体的な実施の形態に基づいて詳しく説明する。
本発明に係る家庭菜園用具の略示的な平面図を図１に示す。家庭菜園用具１には、例えば、もみがら活性炭２と、パルプ３と、有用微生物群を含有したペレット４等とを混合した園芸用土５を使用する。
【００１５】
この有用微生物群としては、例えば、乳酸菌群、酵母菌群、放線菌群、光合成細菌群または発酵糸状菌群等の微生物を使用することができる。該有用微生物群は、８０種類以上の微生物が知られており、該微生物の一種または二種以上を選択して前記有用微生物群として使用するものであり、前記微生物は、休眠状態にさせ、安定した状態にさせたものを使用することが好ましい。
【００１６】
有用微生物群を含有したペレット４は、米糠及び／またはフスマを主成分とし、該米糠及び／またはフスマに前記有用微生物群を混合してペレット状に形成させたものである。
【００１７】
また、前記有用微生物群を含有したペレット４には、例えば、油カス・魚粉・糖蜜等を混合させても良い。
【００１８】
そして、前記園芸用土５を収納袋６の内部に収納させ、該収納袋６を封止した後、該収納袋６に前記園芸用土５が入ったままの状態で、栽培容器７の内側に前記収納袋６ごと収納させる。
【００１９】
この場合の収納袋６の構成は、図２に略示的な斜視図で示してある。この収納袋６は、例えば、不織布または植物繊維の織布等からなるシート材８の両側縁部を重ね合わせて、中央重ね合わせ部９ａと、両端重ね合わせ部９ｂとを形成し、前記中央重ね合わせ部９ａをミシン等で縫着し中央縫着部１０ａを形成して前記シート材８を筒状に形成する。
【００２０】
そして、前記両端重ね合わせ部９ｂの一方を縫着し両端縫着部１０ｂとした後、両端重ね合わせ部９ｂの縫着していない他端から収納袋６の胴部６ａ内に園芸用土５を収納させ、その後、該両端重ね合わせ部９ｂの縫着していない他端を縫着し両端縫着部１０ｂを形成し、前記収納袋６を封止させるものである。
【００２１】
この不織布としては、例えば、樹脂等からなる不織布を使用することができる。また、前記植物繊維としては、例えば、麻等の植物繊維を使用することができ、該麻等を南京袋等のように形成させたものを使用しても良い。
【００２２】
そして、収納袋６を栽培容器７の内側に収納させる場合には、図１に示してあるように、収納袋６のシート材８の中央重ね合わせ部９ａを上にして収納させるようにする。
【００２３】
要するに、収納袋６の胴部６ａの上面略中央部を長さ方向に沿って縫着した縫い目、即ち中央縫着部１０ａを上にして栽培容器７内に収納し、家庭菜園用具１を使用する際に、前記中央縫着部１０ａの縫着の糸を切り、または該中央縫着部１０ａに沿って収納袋６のシート材８の上面の中央重ね合わせ部９ａを切り開いて園芸用土５を露出させて使用するのである。
【００２４】
そのため、収納袋６には、中央縫着部１０ａを形成させることが好ましいが、これに限定されるものではなく、例えば、中央縫着部１０ａを形成させない場合であっても、栽培容器７内に収納袋６を収納した後に、該収納袋６の上面を切り開いて使用しても良いのである。この際、該収納袋６の上面にミシン目等を形成させておいても良い。
【００２５】
このように、園芸用土５を収納した収納袋６を栽培容器７内に収納させて該収納袋６の上面略中央部の中央重ね合わせ部９ａを切り開いて園芸用土５を露出させて使用する構成にしたことにより、前記園芸用土５に有用微生物群を含有したペレット４が混合されているため、家庭等で該有用微生物群の活性液またはボカシを作製する必要がなく、前記園芸用土５をそのまま使用するだけで前記有用微生物群の作用を享受することができるので、前記収納袋６の上面略中央部を切り開き、前記園芸用土５に水を散布するだけという簡単な作業だけで、家庭の庭でまたはマンションのベランダでもしくは屋上等の家庭の敷地内で簡単に菜園を形成して、野菜、果物または観賞用植物等の植物を栽培できるのである。
【００２６】
図３に、栽培容器７の略示的な斜視図を示し、図３のＡ−Ａ線に沿う断面図を図４に示してある。栽培容器７は、例えば、合成樹脂または陶器等により形成してある。
【００２７】
栽培容器７には、鍔部１１と、収納袋６を収納する収納部１２とが形成されている。該収納部１２は、前記収納袋６を収納した際、該収納袋６の周縁部に稍隙間ができる程度の大きさに形成されている。
【００２８】
栽培容器７の収納部１２の底部には、複数の排水用孔１３が穿設されており、園芸用土５に水を散布した際、余分な水は、前記排水用孔１３から排水されるようになっている。
【００２９】
このように、栽培容器７としては、例えば、一般的に販売されている、収納部１２の底部に排水用孔１３が穿設されたプランターまたは植木鉢等が使用することができるため、特別な水及び容器等を必要しなくても、前記家庭の敷地内で簡単に野菜または果物等の植物の栽培をできるのである。
【００３０】
また、栽培容器７の内側の少なくとも側面には、複数の凸部１４を形成させても良い。この凸部１４としては、収納部１２の上部乃至底部に一連の半円形状、山形形状または多角形状等の凸部１４を形成させても良く、また、半球状等の分割された複数の凸部１４または前記栽培容器７の内側の側面を大きな凹凸からなる粗面に形成させても良い。
【００３１】
前記栽培容器７の内側の側面の凸部１４を形成させる場合、前記栽培容器７の外側の側面は、平面状であっても良いが、図３に示してあるように、前記栽培容器７の外側の側面を凹部１５にすることによって、前記栽培容器７を形成するのに必要な樹脂または粘土等の材料の使用量を削減することができるので、前記栽培容器７の外側の側面に凹部１５を形成することが好ましい。
【００３２】
このように、栽培容器７の内側の少なくとも側面に複数の凸部１４を形成させることにより、前記栽培容器７の収納部１２に園芸用土５が収納された収納袋６を収納させた際に、前記栽培容器７の内側の側面、即ち収納部１２の内側の側面と、前記収納袋６との間に、隙間１６が形成されるようになるため、該収納袋６の側面の下側まで空気が入り込むことができ、該収納袋６内部の空気が循環されるようになる。
【００３３】
要するに、一般的には、作物の植え替え時期に、畑等を耕して該畑の土に空気を含ませるようにしているが、本発明の家庭菜園用具１においては、栽培容器７の内側の側面に複数の凸部１４を形成させることにより、該家庭菜園用具１を長期間使用した場合であっても、収納袋６内部の空気が自然に循環されるため、畑等を耕して該畑の土に空気を含ませるのと同様の効果を得ることができるのである。
【００３４】
そのため、栽培容器７の内側の少なくとも側面に複数の凸部１４を形成させることが好ましいが、これに限定されるものではなく、前述のように、収納部１２内の大きさを収納袋６の大きさよりも大きく形成し、該収納袋６の周縁部に隙間１６ができるようにすれば良いのである。
【００３５】
次に、家庭菜園用具１を使用する場合について説明する。該家庭菜園用具１を使用する場合には、園芸用土５が収納された収納袋６を、該収納袋６のシート材８の両端重ね合わせ部９ｂを下側に折り曲げた状態で、前記収納袋６に園芸用土５が入ったまま該収納袋６ごと栽培容器７内に収納し、該収納袋６の上面略中央部の中央重ね合わせ部９ａを切り開き園芸用土５を露出させる。
【００３６】
そして、収納袋６のシート材８の中央重ね合わせ部９ａを切り開き園芸用土５を露出させた状態で、該園芸用土５に野菜、果物または観賞用植物等の植物の種子または苗を植える。
【００３７】
前記園芸用土５に植物の種子または苗を植えた後、該園芸用土５に水・肥料を与える。ここで、園芸用土５には、有用微生物群を含有したペレット４が混合されているため、前記肥料は必ずしも与えなければならないものではなく、該肥料を与えなくても、前記有用微生物群の作用により、前記植物の生育を促進させると共に、害虫を寄せ付けないようにすることができるのである。
【００３８】
また、前記有用微生物群の微生物を休眠状態にさせておいた場合には、園芸用土５に水を散布することによって、前記微生物を活性化させることができるため、園芸用土５に水を散布する前、即ち、家庭菜園用具１を保存させている際には、前記微生物が休眠状態で安定しており、前記家庭菜園用具１を使用する際に、前記微生物を活性化させ、前記有用微生物群による効果を十分に引き出させることができるのである。
【００３９】
このように、園芸用土５に植物の種子または苗を植え、該園芸用土５に水を散布するという簡単な作業だけで、有用微生物群を利用して、前記家庭の敷地内で簡単に野菜または果物等の植物の栽培ができるようになるのである。
【００４０】
【発明の効果】
以上説明したように、本発明に係る家庭菜園用具は、もみがら活性炭と、パルプと、有用微生物群を含有したペレットとを混合した園芸用土と、該園芸用土を収納した収納袋と、該収納袋を園芸用土が入ったまま収納する栽培容器とからなり、該栽培容器に前記収納袋を収納させた後に、収納袋の上面略中央部を切り開き園芸用土を露出させて使用する構成にしたことにより、有用微生物群を利用して、家庭の庭でまたはマンションのベランダでもしくは屋上等の家庭の敷地内で簡単に野菜または果物等の植物の栽培ができるようになるという優れた効果を奏する。
【００４１】
また、前記栽培容器の内側の少なくとも側面に複数の凸部を形成させた場合には、前記栽培容器内に収納した収納袋内部の空気を自然に循環させることができるため、畑等を耕して該畑の土に空気を含ませるのと同様の効果を得ることができるという優れた効果を奏する。
【図面の簡単な説明】
【図１】本発明に係る家庭菜園用具を略示的に示した平面図である。
【図２】同家庭菜園用具の収納袋を略示的に示した斜視図である。
【図３】同家庭菜園用具の栽培容器を略示的に示した斜視図である。
【図４】図３のＡ−Ａ線に沿う略示的な断面図である。
【符号の説明】
１  家庭菜園用具
２  もみがら活性炭
３  パルプ
４  有用微生物群を含有したペレット
５  園芸用土
６  収納袋
６ａ  収納袋の胴部
７  栽培容器
８  シート材
９ａ  中央重ね合わせ部
９ｂ  両端重ね合わせ部
１０ａ  中央縫着部
１０ｂ  両端縫着部
１１  鍔部
１２  収納部
１３  排水用孔
１４  凸部
１５  凹部
１６  栽培容器の収納部と収納袋との間の隙間
【図１】
2005021072.tif 000003
【図２】
2005021072.tif 000004
【図３】
2005021072.tif 000005
【図４】
2005021072.tif 000006